(57)【要約】【課題】測位作業現場においても、測位に適した状況であるか否かを簡単に表示することが可能なＧＰＳ測位簡易表示装置を提供する。【解決手段】ＧＰＳレシーバ用インタフェース、外部通信用インタフェース及び表示部２を備えるＧＰＳ測位簡易表示装置１であって、表示部２にＧＰＳ測位に適した状態であるか否かを簡易表示するインジケータ２１を有する。表示部２は、測位に適している時間又は測位不適状態を継続する時間を表示する。【選択図】　　　　図１
2004012259.tif 000002
【特許請求の範囲】
【請求項１】
ＧＰＳレシーバ用インタフェース、外部通信用インタフェース及び表示部を備えるＧＰＳ測位簡易表示装置であって、
前記表示部にＧＰＳ測位に適した状態であるか否かを簡易表示するインジケータを有することを特徴とするＧＰＳ測位簡易表示装置。
【請求項２】
請求項１記載のＧＰＳ測位簡易表示装置において、
上記表示部は、測位に適している時間又は測位不適状態を継続する時間を表示することを特徴とするＧＰＳ測位簡易表示装置。
【請求項３】
請求項１又は２に記載のＧＰＳ測位簡易表示装置において、上記表示部は、衛星配置図を表示することを特徴とするＧＰＳ測位簡易表示装置。
【請求項４】
請求項１〜３のいずれか１項に記載のＧＰＳ測位簡易表示装置において、
補正情報受信用インタフェースを備えることを特徴とするＧＰＳ測位簡易表示装置。
【請求項５】
請求項１〜４のいずれか１項に記載のＧＰＳ測位簡易表示装置において、
媒体記録部を備えることを特徴とするＧＰＳ測位簡易表示装置。
【発明の詳細な説明】
【０００１】
【発明の属する技術分野】
本発明は、ＧＰＳ測位簡易表示装置であり、特に測位に適している状況か否かを測位作業現場で簡単に表示することが可能なＧＰＳ測位簡易表示装置に関する。
【０００２】
【従来の技術】
測量作業としてＧＰＳ測量が提案されている。ＧＰＳ測量には一定数以上のＧＰＳ衛星からの電波を受信する必要があるが、従来、天空のＧＰＳ衛星数等を把握し、測位に適している状況か否かを現場でシミュレートすることは困難であり、そして、専門知識が必要であった。
【０００３】
【発明が解決しようとする課題】
本発明は、従来の問題を解決するものであり、測位作業現場においても、測位に適した状況であるか否かを簡単に表示することが可能なＧＰＳ測位簡易表示装置を提供することを目的とする。
【０００４】
【課題を解決するための手段】
本発明は、ＧＰＳレシーバ用インタフェース、外部通信用インタフェース及び表示部を備えるＧＰＳ測位簡易表示装置であって、前記表示部にＧＰＳ測位に適した状態であるか否かを簡易表示するインジケータを有するＧＰＳ測位簡易表示装置である。
【０００５】
また、本発明は、上記表示部は、測位に適している時間又は測位不適状態を継続する時間を表示するＧＰＳ測位簡易表示装置である。
【０００６】
そして、本発明は、上記表示部は、衛星配置図を表示するＧＰＳ測位簡易表示装置である。
【０００７】
更に、本発明は、補正情報受信用インタフェースを備えるＧＰＳ測位簡易表示装置である。
【０００８】
また、本発明は、媒体記録部を備えるＧＰＳ測位簡易表示装置である。
【０００９】
【発明の実施の形態】
本発明の実施の形態を説明する。
本発明のＧＰＳ測位簡易表示装置の実施例について、図１〜図５を用いて説明する。図１は、実施例のＧＰＳ測位簡易表示装置の外観の説明図である。図２は、実施例のＧＰＳ測位簡易表示装置の表示部の説明図である。図３は、実施例のＧＰＳ測位簡易表示装置における表示の一例の説明図である。図４は、実施例のＧＰＳ測位簡易表示装置における表示の別例の説明図である。図５は、ＧＰＳ衛星の配置図の一例の説明図である。図６は、測位適・不適シミュレーション結果の一例の説明図である。
【００１０】
実施例１を説明する。本実施例のＧＰＳ簡易表示装置１は、図１に示すように、表示部２を備えており、そして、装置内部にＧＰＳレシーバ用インタフェース、外部通信用インタフェース、補正情報受信用インタフェース及び媒体記録部を有する。表示部２については、後述する。ＧＰＳレシーバ用インタフェースは、例えばＲＴＫ（リアルタイムキネマティック）−ＧＰＳ測位を利用し、ＧＰＳ信号などの衛星測位信号を受信し位置演算を行って測位位置データ等の算出等を可能とする。外部通信用インタフェースは、例えば電話機能を有して外部とのデータの送受信等を可能とする。補正情報受信用インタフェースは、例えばＲＴＫ−ＧＰＳ補正情報の受信等を可能とする。媒体記録部は、各種データを保存しており、後解析時の評価データとして活用できる。
【００１１】
実施例のＧＰＳ測位簡易表示装置における表示部２について、図２を用いて説明する。表示部２には、インジケータ２１を有しており、ＧＰＳ測位に適した状態であるか否かの簡易表示が可能であり、例えば、測位適には青色になり、測位注意には黄色になり、測位不適には赤色に変わる。また、現在時刻、ＧＭＴ（グリニッジ標準時）、天空の衛星数、ＲＫＴ−ＧＰＳ補正情報受信の有無、各種ＤＯＰ（衛星位置や配置による誤差を表すパラメータ、ＰＤＯＰ、ＧＤＯＰ、ＨＤＯＰ、ＶＤＯＰ、ＴＤＯＰが有る）、測位適状態の存続時間、測位不適時又は測位注意時からの回復見込み時間等を表示する。
【００１２】
表示部２における測位に適さない場合における表示の一例（ハッチング部分のＤＯＰ値が悪い）を図３に示し、また、測位に注意を要する場合における表示の例（ハッチング部分のＨＤＯＰ値が悪い）を図４に示す。これらの例では、インジケータ２１が赤色又は黄色表示するとともに、図面においてハッチング部分で表示する個所は、測位作業者の注意をひくような表示とするのが好ましい。
【００１３】
表示部２は、グラフ表示、シミュレーション及び設定等の動作を指示する指示入力部分を設けており、表示内容を変更することができる。グラフ表示により、例えば衛星配置図（図６参照、ＧＰＳ衛星数が５つの例）を表示する。シミュレーション動作により、衛星軌道から指定日時範囲における衛星数３１、ＨＤＯＰ３２、ＰＤＯＰ３３をシミュレートして予測し、これらの結果の一例を図６に示す。なお、予測項目を選択可となっている。設定動作いにより、ＵＴＣ等の設定が可能であり、また、表示のサンプリングタイム設定が任意であり、例えばＧＰＳレシーバのＭＩＮ値〜６０Ｓまで変更することができる。
【００１４】
【発明の効果】
本発明によれば、測位作業現場においても、測位に適した状況であるか否かを簡単に表示することが可能なＧＰＳ測位簡易表示装置を得ることができる。
【図面の簡単な説明】
【図１】実施例のＧＰＳ測位簡易表示装置の外観の説明図。
【図２】実施例のＧＰＳ測位簡易表示装置の表示部の説明図。
【図３】実施例のＧＰＳ測位簡易表示装置における表示の一例の説明図。
【図４】実施例のＧＰＳ測位簡易表示装置における表示の別例の説明図。
【図５】ＧＰＳ衛星の配置図の一例の説明図。
【図６】測位適・不適シミュレーション結果の一例の説明図。
【符号の説明】
１　ＧＰＳ測位簡易表示装置
２　表示部
２１　インジケータ
３１　衛星数
３２　ＨＤＯＰ
３３　ＰＤＯＰ
【図１】
2004012259.tif 000003
【図２】
2004012259.tif 000004
【図３】
2004012259.tif 000005
【図４】
2004012259.tif 000006
【図５】
2004012259.tif 000007
【図６】
2004012259.tif 000008